(57)【特許請求の範囲】
【請求項１】
第１のハウジングと；
収容空間を形成するよう前記第１のハウジングに開放可能に組み付けられる第２のハウジングであって、インプラントは前記収容空間に配置されるよう適合され、前記第２のハウジングは前記収容空間と連通する孔を備える、第２のハウジングと；
粉末を収容するための混合ポットと；
液体を収容するための密閉容器と
を備える、インプラントキャリア組立体であって、
前記密閉容器は前記混合ポットに挿入されるよう適合され、
前記混合ポットは前記第２のハウジングに組み付けられるよう適合され、これにより、前記密閉容器は前記孔と位置合わせされ、
前記混合ポットと前記第２のハウジングとを組み立てる間に、前記第２のハウジングは前記混合ポットに向かって前記密閉容器を圧迫して前記密閉容器を破損させ、これにより、前記液体が前記密閉容器から前記混合ポットに流入して前記粉末と混合され、
前記液体と前記粉末との混合物が前記孔を通って前記収容空間に流入して、前記インプラントの表面に塗布される、インプラントキャリア組立体。
【請求項２】
前記孔を封止又は開放するために、前記第２のハウジングに取り外し可能に組み付けられるカバーを更に備える、請求項１に記載のインプラントキャリア組立体。
【請求項３】
前記密閉容器は純水を貯蔵するリポソームであり、前記粉末は成長因子を含む、請求項１に記載のインプラントキャリア組立体。
【請求項４】
前記第２のハウジングは、突出部と、前記突出部の周囲の第１のねじ山とを備え、
前記孔は前記突出部の中心に位置し、
前記混合ポットは、前記混合ポットを第２のハウジングに組み付けるために前記第１のねじ山と係合される、第２のねじ山を含み、これにより、前記突出部は前記密閉容器を前記混合ポットの内底壁に向かって圧迫する、請求項１に記載のインプラントキャリア組立体。
【請求項５】
前記混合ポットは前記内底壁に配置される先端部を備え、
前記混合ポットと前記第２のハウジングとを組み立てる間に、前記第２のハウジングは、前記密閉容器を混合ポットの前記内底壁に向かって圧迫し、これにより、前記先端部が前記密閉容器を穿孔する、請求項４に記載のインプラントキャリア組立体。
【請求項６】
前記第１のハウジングは、溝と、前記溝内に立設される保持部とを備え、
前記インプラントは、前記保持部と取り外し可能に係合されるよう適合される、請求項１に記載のインプラントキャリア組立体。
【請求項７】
前記第２のハウジングは、柱状部と、頂部と、接続部とを備え、
前記頂部及び前記接続部は、前記柱状部の２つの対向する側部から同一方向に延在し、
前記接続部は、前記溝の底部に組み付けられ、これにより、前記柱状部と前記頂部とが前記溝を封止し、
前記孔は、前記溝と反対側の前記柱状部上に位置する、請求項６に記載のインプラントキャリア組立体。
【請求項８】
前記第２のハウジングは可撓性であり、
前記接続部と前記柱状部との間に切欠部が存在することにより、前記柱状部及び前記頂部が前記接続部に対して回転して前記溝を開放又は閉鎖できる、請求項７に記載のインプラントキャリア組立体。
【請求項９】
前記第１のハウジング及び前記第２のハウジングは、互いに組み付けられた時に多角柱を形成し、
前記頂部及び前記溝の前記底部はそれぞれ前記多角柱の柱面を形成する、請求項７に記載のインプラントキャリア組立体。
【請求項１０】
インプラントを収容するための混合ポットを組み付け可能なインプラントキャリアであって、
第１のハウジングと、
前記第１のハウジングに組み付けられインプラントを収容する収容空間を形成する第２のハウジングと、
前記第２のハウジングは前記収容空間と連通する孔と、
前記孔を封止又は開放するカバーと、を備え、
前記孔により、前記カバーが取り外されたインプラントキャリアに組み付けられた混合ポット内部と前記収容空間は連通し、
前記孔を通り、前記混合ポット内で混合された液体と粉末とからなる混合物が、前記収容空間に入り、前記インプラントに塗布されるように適合される、
インプラントキャリア。
【請求項１１】
前記カバーは、付属品を収容する凹部を備える、請求項１０に記載のインプラントキャリア。
【請求項１２】
前記第１のハウジングは、溝と、前記溝内に立設される保持部とを備え、
前記インプラントは、前記保持部と取り外し可能に係合されるよう適合される、請求項１０に記載のインプラントキャリア。
【請求項１３】
前記第２のハウジングは、柱状部と、頂部と、接続部とを備え、
前記頂部及び前記接続部は、前記柱状部の２つの対向する側部から同一方向に延在し、
前記接続部は、前記溝の底部に組み付けられ、これにより、前記柱状部と前記頂部とが前記溝を封止し、
前記孔は、前記溝と反対側の前記柱状部上に位置する、請求項１２に記載のインプラントキャリア。
【請求項１４】
前記第２のハウジングは可撓性であり、
前記接続部と前記柱状部との間に切欠部が存在することにより、前記柱状部及び前記頂部が前記接続部に対して回転して前記溝を開放又は閉鎖できる、請求項１３に記載のインプラントキャリア。
【請求項１５】
前記第１のハウジング及び前記第２のハウジングは、互いに組み付けられた時に多角柱を形成し、  
前記頂部及び前記溝の前記底部はそれぞれ前記多角柱の柱面を形成する、請求項１３に記載のインプラントキャリア。
【請求項１６】
前記混合物は成長因子を含む、請求項１０に記載のインプラントキャリア。
【請求項１７】
前記混合ポットは：
収容チャンバと開口部とを備えるポット本体であって、前記粉末は前記収容チャンバ内で貯蔵されるよう適合される、ポット本体と；
前記収容チャンバの内底壁上の、前記開口部から離れた位置に配置され、前記開口部に対面する先端部と
を備え、
液体を貯蔵する密閉容器は、前記開口部を通して前記収容チャンバに挿入され、前記先端部によって穿孔されるよう適合され、これにより、前記液体が前記密閉容器から前記収容チャンバへと流入して、前記粉末と混合される、請求項１に記載のインプラントキャリア組立体。
【請求項１８】
前記液体を貯蔵する前記密閉容器は純水リポソームであり、前記粉末は成長因子を含む、請求項１７に記載のインプラントキャリア組立体。
【請求項１９】
前記ポット本体は、前記開口部に隣接した位置の外側にねじ山を備え、
前記ポット本体は、ねじ山によって別の容器に係止されるよう適合され、したがって前記液体と前記粉末との前記混合物は前記別の容器に流入できる、請求項１７に記載のインプラントキャリア組立体。
【発明の詳細な説明】
【技術分野】
【０００１】
本開示は、インプラントキャリア及び混合ポットに関し、特に、インプラントキャリア組立体に関する。
【背景技術】
【０００２】
国民所得の増加、人口構造の高齢化、及び新しい医療技術の導入などの要因により、国民の健康管理サービスに対する需要が増加しており、このことが健康関連の産業、特に、歯科用インプラント及び骨インプラントのような医療移植の分野の成長をもたらしている。
【０００３】
年齢と共に、身体の関節、骨、及び歯は、次第に劣化し、日常生活に不便を生じるようになる。このような場合、義歯、人工関節及び人工骨釘のような人工的代替物又は固定具を埋入して、劣化した関節、骨、又は歯を置換又は固定して、これらの機能を維持する必要がある。したがって、医療用インプラントの生体細胞への適合性及び親和性などの分野における医療用インプラントの発展がますます注目を集めている。
【０００４】
現在の歯科用インプラントのプロセスによれば、ユーザがインプラントを移動させる時にインプラントに触れることによって引き起こされる表面汚染又は損傷を防ぐために、通常、インプラントを収納するために専用の容器が準備される。さらに、インプラントとヒト組織との結合を強化するために、インプラントが容器から取り出された後に、成長因子を含有する混合物がインプラントの表面に塗布される。しかし、このプロセスは、適切に操作されなかった場合に、不注意による接触及び汚染のリスクを高める恐れがある。
【発明の概要】
【発明が解決しようとする課題】
【０００５】
本開示は、混合ポットとインプラントキャリアとの間の組立構造体によって、混合ポット内で粉末と液体とを混合し、その混合物をインプラントが配置される空間に流入させることができるインプラントキャリア組立体を提供する。
【課題を解決するための手段】
【０００６】
本開示の一実施形態では、第１のハウジングと、第２のハウジングと、混合ポットと、密閉容器とを含むインプラントキャリア組立体が提供される。第２のハウジングは、収容空間を形成するよう第１のハウジングに開放可能に組み付けられる。インプラントは、収容空間に配置されるよう適合される。第２のハウジングは、収容空間と連通する孔を有する。混合ポットは、粉末を収容するためのものである。密閉容器は、中に液体を収容する。密閉容器は混合ポットに挿入されるよう適合され、混合ポットは第２のハウジングに組み付けられるよう適合され、これにより、密閉容器は孔と位置合わせされる。混合ポットと第２のハウジングとを組み立てる間に、第２のハウジングは混合ポットに向かって密閉容器を圧迫してこれを破損させ、これにより、液体が密閉容器から混合ポットに流入して粉末と混合され、その混合物が孔を通って収容空間に流入して、インプラントの表面に塗布される。
【０００７】
本開示の一実施形態では、第１のハウジングと、第２のハウジングと、カバーとを含むインプラントキャリアが提供される。第２のハウジングは、収容空間を形成するよう、第１のハウジングに開放可能に組み付けられる。インプラントは、収容空間に配置されるよう適合される。第２のハウジングは、収容空間と連通する孔を有する。カバーは、孔を封止又は開放するために、第２のハウジングに取り外し可能に組み付けられる。成長因子を含有する混合物は、カバーが第２のハウジングから取り外されると、孔を通って収容空間に入り、インプラントに塗布されるよう適合される。
【０００８】
本開示の一実施形態では、収容チャンバと、開口部と、先端部とを有するポット本体を含む混合ポットが提供される。粉末は、収容チャンバ内で貯蔵されるよう適合される。先端部は、収容チャンバの内底壁上の、開口部から離れた位置に配置され、先端部は開口部に対面する。液体を貯蔵する密閉容器は、開口部を通して収容チャンバに挿入され、先端部によって穿孔されるよう適合され、これにより、液体が密閉容器から収容チャンバへと流入して、粉末と混合される。
【０００９】
本開示の一実施形態では、密閉容器は、純水を貯蔵するリポソームであり、粉末は成長因子を含む。
【００１０】
本開示の一実施形態では、第２のハウジングは、突出部と、突出部の周囲の第１のねじ山とを含み、孔が突出部の中心に位置する。混合ポットは、混合ポットを第２のハウジングに組み付けるために第１のねじ山と係合される第２のねじ山を含み、これにより、突出部は密閉容器を混合ポットの内底壁に向かって圧迫する。
【００１１】
本開示の一実施形態では、混合ポットは、内底壁に配置される先端部を含む。混合ポットと第２のハウジングとを組み付ける間に、第２のハウジングは、密閉容器を混合ポットの内底壁に向かって圧迫し、これにより、先端部が密閉容器を穿孔する。
【００１２】
本開示の一実施形態では、第１のハウジングは、溝と、溝内に立設される保持部とを含み、インプラントは、保持部と取り外し可能に係合されるよう適合される。
【００１３】
本開示の一実施形態では、第２のハウジングは、柱状部と、頂部と、接続部とを含み、頂部及び接続部は、柱状部の２つの対向する側部から同一方向に延在する。接続部は、溝の底部に組み付けられ、これにより、柱状部と頂部とが溝を封止する。孔は、溝と反対側の柱状部上に位置する。
【００１４】
本開示の一実施形態では、第２のハウジングは可撓性であり、接続部と柱状部との間に切欠部が存在することにより、柱状部及び頂部が接続部に対して回転して溝を開放又は閉鎖できる。
【００１５】
本開示の一実施形態では、第１のハウジング及び第２のハウジングは、互いに組み付けられた時に多角柱を形成し、頂部及び溝の底部はそれぞれ多角柱の柱面を形成する。
【００１６】
本開示の一実施形態では、カバーは、付属品を収容する凹部を含む。
【００１７】
本開示の一実施形態では、ポット本体は、開口部に隣接した位置の外側に係止ねじ山を含む。ポット本体は、係止ねじ山によって別の容器に係止されるよう適合され、したがって、液体と粉末との混合物は別の容器に流入できる。
【発明の効果】
【００１８】
上述の実施形態に基づき、インプラントはインプラントキャリア内に収容され、インプラントを使用する際、インプラントキャリアからカバーを取り外し、インプラントキャリアを混合ポットと組み立てて、インプラントキャリア組立体を形成する。液体を貯蔵している密閉容器は、部分的に混合ポットに挿入され、混合ポットとインプラントキャリアとを組み立てる間に圧迫されると破損し、これにより、液体が密閉容器から流出して粉末と十分に混合されて混合物を形成し、その後、混合物がインプラントキャリアの孔を通って内部空間に流入してインプラントに塗布される。したがって、上述したように、使用前の混合プロセス及び塗布プロセスにおいて、ユーザは、混合物及びインプラントに直接触れる必要がない。そのため、臨床用途の要件を満たすように、インプラントが外部によって汚染されるリスクが効果的に低減される。
【図面の簡単な説明】
【００１９】
【図１】図１は、本開示の一実施形態によるインプラントキャリアを示した概略図である。
【図２】図２は、ある角度から見た図１のインプラントキャリアを示した図である。
【図３】図３は、別の角度から見た図１のインプラントキャリアを示した図である。
【図４】図４は、図１のインプラントキャリアの別の状態を示した概略図である。
【図５】図５は、本開示の一実施形態のインプラントキャリア組立体の分解立体図である。
【発明を実施するための形態】
【００２０】
図１は、本開示の一実施形態のインプラントキャリアの概略図である。図２及び図３はそれぞれ、異なる角度から見た図１のインプラントキャリアを示した図である。この実施形態では、インプラントキャリア１００は、第１のハウジング１１０と、第２のハウジング１２０と、カバー１３０とを含む。第１のハウジング１１０及び第２のハウジング１２０は、閉鎖状態（ここでは、破線で示されている）の時に収容空間Ｃ１を形成するように互いに開放可能に組み付けられる。収容空間Ｃ１は、インプラント４００を収容し、第１のハウジング１１０及び第２のハウジング１２０が、ユーザがインプラント４００を取り出すための開放状態になった時に、インプラント４００を露出させる。開放／閉鎖状態については、後で詳述する。
【００２１】
図２及び図３を参照すると、この実施形態では、第１のハウジング１１０は、溝１１２と、溝１１２内に立設される保持部１１４とを有する。インプラント４００は、例えば、歯根骨インプラント（これに限定されない）であり、保持部１１４と取り外し可能に係合されるよう適合される。図２に示されるように、インプラント４００は、保持部１１４の凹面と係合されるように六角形の輪郭を有し、インプラント４００は、溝１１２内で懸架され、軸Ｘ１に沿って延在し、これにより、インプラント４００とキャリア構造体との接触面積を最小化でき、その結果、外部による汚染及び不注意による接触のリスクが低減される。
【００２２】
さらに、第２のハウジング１２０は、柱状部１２２と、頂部１２４と、接続部１２６とを有し、頂部１２４及び接続部１２６は、柱状部１２２の２つの対向する側部から同一方向に延在する。接続部１２６は、溝１１２の底部に組み付けられ、これにより、柱状部１２２と頂部１２４が溝１１２を封止する。具体的には、図３に示されるように、接続部１２６は、ストリップ構造を有し、第２のハウジング１２０はさらに、接続部１２６上に配置される複数のフック１２１ａ、１２１ｂ、１２１ｃを有する。それに対応して、溝１１２は、底部にスロット１１２ａを有し、接続部１２６は、フック１２１ａ、１２１ｂ、１２１ｃがスロット１１２ａに引っ掛けられる形でスロット１１２ａに挿入される。図２及び図３に示されるように、フック１２１ａ及び１２１ｂは凹部Ａ１に引っ掛けられ、フック１２１ｃは凹部Ａ２に引っ掛けられ、これにより、接続部１２６を使用して第２のハウジング１２０を第１のハウジング１１０に組み付けることができる。
【００２３】
図４は、図１のインプラントキャリアの別の状態を示した概略図である。図３及び図４を参照すると、第２のハウジング１２０は、例えば高分子ポリマーからなり、したがって可撓性である。第２のハウジング１２０はさらに、接続部１２６と柱状部１２２との間に形成される切欠部１２７（図３に示されている）を有することに留意されたい。切欠部１２７は、例えば、柱状部１２２と頂部１２４が接続部１２６に対して回転する（向きを変える）ことができるように、第２のハウジング１２０が成形される時に接続部１２６と柱状部１２２との間に形成される薄壁であり、ユーザは力で第２のハウジング１２０を移動させて開放して、第１のハウジング１１０の溝１１２を露出させて、インプラント４００を取り出す、又は入れることができる。
【００２４】
さらに、この実施形態では、カバー１３０は、インプラント４００の補助部材としての役目を果たす付属品５００（例えばヒーリングスクリュー）を収容するための凹部１３２を有する。
【００２５】
また、図１及び図４に示されているように、第１のハウジング１１０と第２のハウジング１２０は、互いに組み付けられた後に多角柱を形成することに留意されたい。頂部１２４及び溝１１２の底部はそれぞれ柱面を形成し、これにより、使用時にインプラントキャリア１００が転がるのを防ぎ、構造的安定性を向上させることができる。
【００２６】
図５は、本開示の一実施形態のインプラントキャリア組立体の分解立体図である。図２、図４及び図５を参照すると、この実施形態では、インプラントキャリア組立体１０は、混合ポット２００と、密閉容器３００と、上記インプラントキャリア１００の部品とを含み、混合ポット２００は、成長因子（例えばＢＭＰ−２）を含有する粉末（図示せず）を貯蔵し、密閉容器３００は例えば、純水などの液体（図示せず）を貯蔵する純水リポソームである。上述したように、成長因子を含有する混合物がインプラント４００の表面に塗布されると、この実施形態の組立構造体及びプロセスは、混合プロセス又は塗布プロセス中の汚染のリスクを排除する。
【００２７】
具体的には、混合ポット２００は、ポット本体２１０と、ポット本体２１０内に配置される先端部２２０とを含み、ポット本体２１０は、収容チャンバ２１２と開口部２１４とを有する。成長因子を含有する粉末は、収容チャンバ２１２内に貯蔵されるよう適合される。先端部２２０は、収容チャンバ２１２の内底壁上の、開口部２１４から離れた位置に配置される。先端部２２０は、開口部２１４に対面する。さらに、混合ポット２００は、開口部２１４に近い位置の外側にねじ山２１６を有する。
【００２８】
それに対応して、第２のハウジング１２０は、突出部１２１と、第１のハウジング１１０の溝１１２と反対側の柱状部１２２上に形成されるねじ山１２３とを有する。つまり、柱状部１２２及び頂部１２４が第１のハウジング１１０の溝１１２上で閉じられた場合でも、突出部１２１及びねじ山１２３はまだ構造体の外側にある。すなわち、突出部１２１は溝１１２から離れて延在し、ねじ山１２３は突出部１２１の周囲に形成される。カバー１３０は、柱状部１２２上の突出部１２１及びねじ山１２３を遮蔽する又は露出させるために、第２のハウジング１２０の柱状部１２２に取り外し可能に組み付けられる。第２のハウジング１２０はさらに、突出部１２１の中心に位置する孔１２５を有することに留意することが重要であり、孔１２５は、軸Ｘ１に沿って柱状部１２２を貫通して収容空間Ｃ１（つまり、第２のハウジング１２０によって閉鎖された第１のハウジング１１０の溝１１２）と連通しており、カバー１３０が第２のハウジング１２０から取り外された時に露出される。
【００２９】
図５に示されるように、液体を貯蔵している密閉容器３００が開口部２１４を通して収容チャンバ２１２に挿入されると、ユーザは、混合ポット２００の開口部２１４をカバー１３０が取り外された第２のハウジング１２０と位置合わせして、これらを組み立てる。つまり、ねじ山１２３及び１２６は、混合ポット２００を第２のハウジング１２０の柱状部１２２に組み付けるために互いに係合され、これによりインプラントキャリア組立体１０が形成される。組立プロセスにおいて、突出部１２１は密閉容器３００を圧迫し、密閉容器３００を混合ポット２００の収容チャンバ２１２に押し込むことに留意されたい。したがって、密閉容器３００が内底壁の先端部２２０と接触すると、密閉容器３００の材料（リポソーム）により、密閉容器３００は先端部２２０によって穿孔されて、密閉容器３００内の液体（純水）が混合ポット２００の収容チャンバ２１２に流入し、収容チャンバ２１２内の粉末と混合される。この時、ユーザは、混合ポット２００とインプラントキャリア１００との組立体を振って、粉末と液体とを十分に混合させる。次に、粉末と液体の混合物は、第２のハウジング１２０の孔１２５を通って収容空間Ｃ１に流入し、インプラント４００に十分に塗布される。組立プロセス及び混合プロセスにおいて、ユーザは、インプラント４００又は混合物に直接触れる必要はない。つまり、これらのプロセスは、混合ポット２００及びインプラントキャリア１００によって形成される空間内で完了する。したがって、汚染のリスクが効果的に低減される。
【００３０】
要約すると、本開示の上記実施形態では、インプラントは、使用前は、外部との接触を避けるためにインプラントキャリアに収容される。インプラントが使用される時に、混合ポットと密閉容器とインプラントキャリアとの組立構造体により、インプラントの表面に成長因子を塗布することができ、その結果、人体への埋入後の早期骨結合の効果を向上させることができる。
【００３１】
すなわち、インプラントキャリアからカバーを取り外し、インプラントキャリアを混合ポット及び密閉容器に組み付けてインプラントキャリア組立体を形成することによって、液体を貯蔵する密閉容器は部分的に混合ポットに挿入されて、混合ポットとインプラントキャリアとを組み立てる間に圧迫されると破損し、液体が密閉容器から流出して、粉末と十分に混合されて混合物が形成され、その後、混合物はインプラントキャリアの孔を通って内部空間に流入し、インプラントに塗布される。したがって、使用前の混合プロセス及び塗布プロセスにおいて、上述したように、ユーザは、混合物及びインプラントに直接触れる必要はない。したがって、臨床用途の要件を満たすように、インプラントが外部によって汚染されるリスクが効果的に低減される。
【００３２】
さらに、インプラントキャリアの外形は多角柱であり、この形状により構造体を安定させ、転がるのを防ぐことができる。
【産業上の利用可能性】
【００３３】
本開示は、第１のハウジングと、第２のハウジングと、混合ポットと、密閉容器とを含むインプラントキャリア組立体に関する。第２のハウジングは、収容空間を形成するよう、第１のハウジングに開放可能に組み付けられる。インプラントは、収容空間に配置されるよう適合される。第２のハウジングは、収容空間と連通する孔を有する。混合ポットは、粉末を収容するためのものである。密閉容器は、中に液体を収容する。密閉容器は、混合ポットに挿入されるよう適合され、混合ポットは、第２のハウジングに組み付けられるよう適合され、これにより、密閉容器は孔と位置合わせされる。混合ポットと第２のハウジングとを組み合せる間に、第２のハウジングは、密閉容器を混合ポットに向かって圧迫し、密閉容器を破損させ、これにより、液体が密閉容器から混合ポットに流入して粉末と混合され、その混合物が孔を通って収容空間に流入して、インプラントの表面に塗布される。
【符号の説明】
【００３４】
１０  インプラントキャリア組立体
１００  インプラントキャリア
１１０  第１のハウジング
１１２  溝
１１２ａ  スロット
１１４  保持部
１２０  第２のハウジング
１２１  突出部
１２１ａ、１２１ｂ、１２１ｃ  フック
１２２  柱状部
１２３  ねじ山
１２４  頂部
１２５  孔
１２６  接続部
１２７  切欠部
１３０  カバー
１３２  凹部
２００  混合ポット
２１０  ポット本体
２１２  収容チャンバ
２１４  開口部 
２１６  ねじ山
２２０  先端部
３００  密閉容器
４００  インプラント
５００  付属品 
Ａ１、Ａ２  凹部
Ｃ１  収容空間
Ｘ１  軸    
【図１】
0006300876.tif 000002
【図２】
0006300876.tif 000003
【図３】
0006300876.tif 000004
【図４】
0006300876.tif 000005
【図５】
0006300876.tif 000006